(57)【要約】    【課題】  光ディスクプレーヤのディスクの挿入用の開口部を通して、とくにトレーを引込んだ状態において上記ディスク状記録媒体の挿入用の開口部を通して内部に粉塵が流入するのを防止するようにした光ディスクプレーヤを提供する。    【解決手段】  表面にゴムあるいは高分子材料から成る弾性を有するシール材４０を貼付けた摺動式扉１４をフロントパネル１２の開口部１３の内側に摺動自在に配し、ベースユニット７０を昇降動作させるスライダ５５の摺動動作に連動して、扉開閉レバー６０によって上記摺動式扉１４を開閉させるようにし、摺動式扉１４が閉じられると、その被押圧部３５がカム３６と係合し、これによって摺動式扉１４の表面のシール材４０がフロントパネル１２の開口部１３の周縁部に押付けられるようにし、このときに摺動式扉１４の突部４１がフロントパネル１２側の凹部４４内に受入れられるようにする。    【選択図】    図２３
2007080472.tif 000002
【特許請求の範囲】
【請求項１】
交換可能な記録媒体を開口部を通して挿入して記録および／または再生を行なう装置において、
前記開口部を開閉自在に閉じる摺動式扉を有し、該扉の表面にシール材が貼付けられており、前記シール材が前記開口部の周縁部に圧着されて前記開口部が前記扉によって密閉されることを特徴とする記録および／または再生装置。
【請求項２】
前記シール材が弾性を有するゴムまたは高分子材料のシートから構成され、圧着されると前記開口部の周縁部と接触する部分がつぶれて該開口の周縁部に密着することを特徴とする請求項１に記載の記録および／または再生装置。
【請求項３】
前記扉がばねによって前記開口部を閉じる方向に摺動付勢され、しかも前記扉が閉じられる方向に摺動されると、前記扉に設けられている被押圧部が装置側のカムと係合して前記シール材が前記開口の周縁部に圧着されることを特徴とする請求項１に記載の記録および／または再生装置。
【請求項４】
前記扉または前記開口部を設けたフロントパネルに突部が形成され、該突部によって前記扉の摺動時に該扉と前記フロントパネルの内側表面との間にクリアランスが形成され、前記シール材が前記フロントパネルの表面に接触しないようにしたことを特徴とする請求項１に記載の記録および／または再生装置。
【請求項５】
内部に設けられている記録再生ユニットを取付けたベースユニットを昇降動作させるスライダを有し、該スライダのカムによって回動動作する扉開閉レバーを設け、前記スライダの摺動動作が前記扉開閉レバーに伝達されて前記扉が開閉されることを特徴とする請求項１に記載の記録および／または再生装置。
【請求項６】
前記扉開閉レバーの被係合部がばねによって前記スライダのカムに押圧され、前記スライダは該ばねに抗して前記扉開閉レバーを回動させることを特徴とする請求項５に記載の記録および／または再生装置。
【請求項７】
前記スライダのカムによる前記扉開閉レバーの閉鎖方向の回動角度が前記扉を閉じるのに要するストロークよりも大きく設定され、前記扉が閉じられた状態で前記扉開閉レバーと前記扉との間にクリアランスが形成されることを特徴とする請求項６に記載の記録および／または再生装置。
【請求項８】
前記記録媒体がディスク状をなし、該ディスク状の記録媒体を回転しながら記録および／または再生を行なうようになされ、回転中に前記記録媒体が破壊して飛散した場合に、前記扉が防御手段として機能することを特徴とする請求項１に記載の記録および／または再生装置。
【発明の詳細な説明】
【技術分野】
【０００１】
本発明は記録および／または再生装置に係り、とくに交換可能な記録媒体を筐体の開口部を通して挿入して記録および／または再生を行なう記録および／または再生装置に関する。
【背景技術】
【０００２】
特開平８−３３９５６５号公報に示されるように、光ディスクをターンテーブル上においてチャッキングし、モータによって回転駆動させながら、この光ディスクの表面に対して光ピックアップを対接させ、上記光ピックアップからレーザ光を照射し、位相変調される反射光によって信号を読出すようにし、あるいはまた信号を重畳したレーザ光を照射して光ディスク上に信号を書込むようにしている。
【０００３】
この種の光ディスクプレーヤにおいては、例えば特開２００３−６７９２０号公報に開示されるように、トレー上にディスク状記録媒体を載置し、このトレーを筐体内に引込むことによって、上記ディスク状記録媒体を筐体内の光ピックアップとアクセス可能な位置にローディングする。ここでトレーが上記アクセス位置にディスク状記録媒体を引込むと、この状態でターンテーブルが軸線方向上方に移動し、光ピックアップをディスクカートリッジのシェルから浮かした状態で回転駆動する。
【０００４】
このような光ディスクプレーヤは、高密度記録化が進んでおり、ドライブ装置の外部から内部へ流入する粉塵を防御する必要が生じている。すなわちドライブ装置は、交換式の記録媒体を使用するようになっているために、この交換式の記録媒体を入替えるための開口部を、ドライブ装置の筐体に設置する必要がある。従って上記の開口部から粉塵の流入を防止するために、回転式の扉等を設け、交換式記録媒体がドライブ装置の内部に入ったときに、上記開口部を回転式の扉等で閉じるようにしている構造を採用するのが一般的である。ところが回転式の扉は、その構造上、ドライブ装置の筐体と回転式扉との間に隙間を生じ、そこから粉塵が流入し易い欠点がある。
【０００５】
また近年の光ディスクプレーヤは、ディスクの高速回転化が進んでいる。このような光ディスクプレーヤにおいて、損傷したディスクや不良ディスク等が挿入された場合には、このようなディスクを高速回転させて使用すると、回転中にディスク自体が破損する可能性がある。この場合に、破損したディスクがドライブ装置の外部へ飛出す可能性が考えられる。回転式の扉の場合には、その構造上、破損ディスクが回転式の扉へ衝突することによって、回転式の扉を外方に開き、これによってドライブ装置の外部へ破損ディスクが飛出す可能性が考えられる。
【特許文献１】特開平３−３３９５６５号公報
【特許文献２】特開２００３−６７９２０号公報
【発明の開示】
【発明が解決しようとする課題】
【０００６】
本願発明の課題は、筐体の内部に外部から粉塵が流入するのを防止するようにした記録および／または再生装置を提供することである。
【０００７】
本願発明の別の課題は、交換可能な記録媒体を挿入するための開口部を通して、外部から粉塵が流入するのを防止するようにした記録および／または再生装置を提供することである。
【０００８】
本願発明のさらに別の課題は、交換可能な記録媒体を挿入するための開口部に設けられている摺動式の扉によって、外部からの粉塵の流入を防止するようにした記録および／または再生装置を提供することである。
【０００９】
本願発明のさらに別の課題は、記録媒体を挿入するための開口部を閉じる摺動式扉に設けられているシール材が、扉が閉じられたときに開口の周縁部に圧着され、これによって外部から内部へ粉塵が流入するのを防止するようにした記録および／または再生装置を提供することである。
【００１０】
本願発明のさらに別の課題は、記録媒体を挿入する開口部を閉じる摺動式扉が閉じられた場合に、この扉に設けられている被押圧部が装置側のカムによって押圧され、これによって扉の表面のシール材が開口の周縁部に圧着されて密閉されるようにした記録および／または再生装置を提供することである。
【００１１】
本願発明のさらに別の課題は、記録媒体を挿入するための開口部を覆う摺動式扉の摺動時においては、この摺動式扉に設けられている突部が開口部を設けたフロントパネルの内表面と当接し、これによって扉の表面に取付けられているシール材がフロントパネルの内表面と摺接しないようにし、摺動式扉が完全に閉じられると、この摺動式扉の突部が開口部の周縁部に設けられている凹部に落込み、これによって摺動式扉の表面に貼付けられているシール材が開口部の周縁部に圧着されて開口部を密閉し、外部からの粉塵の流入を防止するようにした記録および／または再生装置を提供することである。
【００１２】
本願発明のさらに別の課題は、損傷され、あるいは不良の記録媒体を挿入した場合に、この記録媒体が外部に飛出すのを摺動式扉によって防止するようにした記録および／または再生装置を提供することである。
【００１３】
本願発明のさらに別の課題は、損傷あるいは不良のディスク状記録媒体が装置内に挿入されて回転駆動された場合に、この損傷あるいは不良のディスク状記録媒体が飛出し、これによって破損ディスクがスライド式扉に衝突して防御するようにした記録および／または再生装置を提供することである。
【００１４】
本願発明の上記の課題および別の課題は、以下に述べる本願発明の技術的思想、およびその実施の形態によって明らかにされよう。
【課題を解決するための手段】
【００１５】
本願の主要な発明は、交換可能な記録媒体を開口部を通して挿入して記録および／または再生を行なう装置において、
前記開口部を開閉自在に閉じる摺動式扉を有し、該扉の表面にシール材が貼付けられており、前記シール材が前記開口部の周縁部に圧着されて前記開口部が前記扉によって密閉されることを特徴とする記録および／または再生装置に関するものである。
【００１６】
ここで、前記シール材が弾性を有するゴムまたは高分子材料のシートから構成され、圧着されると前記開口部の周縁部と接触する部分がつぶれて該開口の周縁部に密着するようにしてよい。また前記扉がばねによって前記開口部を閉じる方向に摺動付勢され、しかも前記扉が閉じられる方向に摺動されると、前記扉に設けられている被押圧部が装置側のカムと係合して前記シール材が前記開口の周縁部に圧着されてよい。また前記扉または前記開口部を設けたフロントパネルに突部が形成され、該突部によって前記扉の摺動時に該扉と前記フロントパネルの内側表面との間にクリアランスが形成され、前記シール材が前記フロントパネルの表面に接触しないようにすることが好ましい。
【００１７】
また内部に設けられている記録再生ユニットを取付けたベースユニットを昇降動作させるスライダを有し、該スライダのカムによって回動動作する扉開閉レバーを設け、前記スライダの摺動動作が前記扉開閉レバーに伝達されて前記扉が開閉されてよい。また前記扉開閉レバーの被係合部がばねによって前記スライダのカムに押圧され、前記スライダは該ばねに抗して前記扉開閉レバーを回動させてよい。また前記スライダのカムによる前記扉開閉レバーの閉鎖方向の回動角度が前記扉を閉じるのに要するストロークよりも大きく設定され、前記扉が閉じられた状態で前記扉開閉レバーと前記扉との間にクリアランスが形成されてよい。また前記記録媒体がディスク状をなし、該ディスク状の記録媒体を回転しながら記録および／または再生を行なうようになされ、回転中に前記記録媒体が破壊して飛散した場合に、前記扉が防御手段として機能するようにしてよい。
【００１８】
本願発明の好ましい態様は、交換式記録媒体を入替えする際の開口部を、スライド式扉によって密閉する機構である。ここでスライド式扉の内表面には、シール材が貼付けられており、このシール材が開口部の周縁部を塞ぎ、かつ圧着することによって、シール材が適度につぶれ、開口の周縁部の隙間がなくなって密閉され、ドライブ装置外部からの粉塵の流入を防止する構造である。
【００１９】
スライド式扉に貼付けられたシール材がドライブ装置の開口の周縁部を塞ぎ、かつ圧着して密閉する構造として、スライド式扉に取付けられたねじりコイルばねによって、スライド式扉が開口部を塞ぐ方向に動作させる。そのときに、スライド式扉に設置されたカム形状がドライブ装置内のカム部と当接することによって、シール材が圧着方向へ動作し、開口部をシール材が圧着して密閉する構造としている。またスライド式扉の開閉動作時に、スライド式扉に貼付けられたシール材は、フロントパネルの内表面と干渉されず、シール材が痛められない摺動構造になっている。
【００２０】
上記開口部を開閉するスライド式扉を開く構造は、ドライブ装置の内部に設けられた扉開閉アームがスライダに設置されたカムで回転方向に駆動され、この扉開閉アームの動作がスライド式扉に伝達されることによってスライド式扉を開く構造とする。またスライド式扉が閉じられた場合には、このスライド式扉と扉開閉アームが接触せず、隙間がある状態にする。これは内部機構がフローティング支持されているのに対し、外筐と扉とがフローティングの外側にあるために、上記の隙間によってスライド式扉と扉開閉アームとを隙間で遮断しないと、上記扉開閉アームを介して防振が破られるからである。このような構造によって、ドライブ装置に対して外部から振動が加わっても、スライド扉から内部機構への振動の伝達が防止されることになる。
【００２１】
またこの態様によると、光ディスク装置内部で損傷されあるいは不良のディスクが使用され、しかも回転中にディスク自体が破損した場合に、このディスクの飛散を上記のスライド扉によって防御することにより、外部への破損ディスクの飛出しを防止することができ、安全性が確保される。
【００２２】
上記のような態様によれば、ドライブ装置の外部から筐体内への粉塵の流入を防御することが可能になる。また防塵のためのスライド式扉の圧着動作が、簡単な部品構成と構造とで実現できるようになる。
【００２３】
またスライド式扉の開閉動作を、ベースユニットの昇降動作を行なうためのスライダを利用して達成することにより、スライド式扉の開閉のための専用の駆動モータが不要になる。またスライド式扉が開口部を閉じた場合であってディスクが回転しているときに、スライド式扉からドライブ装置内部への振動の伝達が遮断されるために、耐振動性に優れるようになる。しかも不良ディスクを使用し、回転中にディスク自体が破損した場合でも、破損されたディスクがドライブ装置の外部へ飛出さず、安全性が保たれる。
【発明の効果】
【００２４】
本願の主要な発明は、交換可能な記録媒体を開口部を通して挿入して記録および／または再生を行なう装置において、開口部を開閉自在に閉じる摺動式扉を有し、該扉の表面にシール材が貼付けられており、シール材が開口部の周縁部に圧着されて開口部が扉によって密閉されるようにしたものである。
【００２５】
従ってこのような記録および／または再生装置によると、記録媒体を挿入するための開口部が、摺動式扉によって閉じられることになり、しかもこの扉の表面に貼付けられているシール材が、開口の周縁部に圧着され、これによって開口部が扉によって密閉されることになる。従って筐体の外部から上記の開口部を通して粉塵が流入することが防止され、粉塵から装置を防御できるようになる。
【発明を実施するための最良の形態】
【００２６】
以下本願発明を図示の実施の形態によって説明する。図１は本実施の形態に係る光デイスクプレーヤのほぼ全体の外観を示しており、この光ディスクプレーヤは、ほぼ直方体状をなす外筐１０を備えている。外筐１０は両側の側板と底板とから構成され、上部が開放され、開放された上部を天板１１によって覆うようにしている。また外筐１０の前面側はフロントパネル１２によって閉じられている。そしてフロントパネル１２には横長の開口部１３が形成されている。この開口部１３が後述するディスク状記録媒体を挿入するための開口部である。上記開口部１３には摺動式扉１４が開閉自在に取付けられるようになっており、フロントパネル１２の内側で摺動可能に保持されている。
【００２７】
筐体１０の内部には図２に示すように、前後に移動自在にトレー２０が設けられている。トレー２０は上記開口部１３によって外部に引出されるようになっている。そしてトレー２０上には、ディスク状記録媒体を収納保持するための円形の凹部２１が形成されるとともに、この凹部２１を横切るように縦長の開口２２が形成されている。
【００２８】
上記トレー２０によって、３種類のディスク状記録媒体がこの装置内に挿入されて利用できるようになっている。すなわち円板状の光ディスクをカートリッジ内に収納したディスクカートリッジ２５、上面が開放され、この開放された部分に光ディスクを収納する開放型ディスクカートリッジ２６、およびカートリッジを備えないベアディスク２７の３種類のディスク状記録媒体が上記トレー２０の凹部２１上に装着されるようになっている。そして上記外筐１０の天板１１の内側にホルダ板２８が取付けられ、このホルダ板２８のほぼ中心部に、チャックリング２９が自重によって開口部に装着されるように取付けられている。上記チャックリング２９は、上方に移動したときに天板１１のリング状突部１５内に受入れられるようになっている。
【００２９】
図４は上記のトレー２０を取外した状態を示している。そして図５に示すように、外筐１０のフロントパネル１２の横長の開口部１３を閉じるように摺動式扉１４が取付けられている。すなわち摺動式扉１４はその内側であって下端側の部分にピン３２を一体に備え、このピン３２につる巻きばね３３が巻装されて取付けられている。つる巻きばね３３の両側の延出部は外筐１０の底板の上面であって前端側の部分に設けられている一対の受け溝３４によって保持されている。また上記摺動式扉１４の内側の面には、その両側にそれぞれ被押圧部３５が形成されている。被押圧部３５は、摺動式扉１４が閉じられた場合に、筐体１０側のカム３６と係合し、これによって扉１４を開口部１３の周縁部に圧着するようにしている（図２３参照）。
【００３０】
また摺動式扉１４の内周面には、図４に示すように、筐体１０内に突出するように突部３７が形成されている。この突部３７は、外筐１０の底板上であってフロントパネル１２の内側に設けられている案内用突柱３８の側部に位置し、摺動式扉１４が開閉動作を行なう際に、この案内用突柱３８の側面に沿って上下に移動するようになっている。なお摺動式扉１４の突出部３７は、後述する扉開閉レバー６０によって押圧され、これによって摺動式扉１４を開閉動作するためのものである。
【００３１】
摺動式扉１４の内周面には、図６に示すようにシール材４０が貼付けられている。シール材４０は、弾性を有するゴムシートあるいは高分子シートから構成されてよく、その弾性によって、摺動式扉１４が開口部１３を閉じたときに、この開口部１３の周縁部につぶれた状態で圧着されるようにし、これによって開口部１３の周縁部と摺動式扉１４との間の隙間をなくすようにしている。
【００３２】
上記摺動式扉１４の内側の表面には、図６に示すようにその左右の部分に上下一対の突部４１が構成され、さらに中央部にも突部４１が形成されている。これらの突部４１はシール材４０の切欠き４２および小孔４３によって前方に突出するようになっている。図７は摺動式扉１４上にシール材４０を貼付けた状態を示しており、突部４１がシール材４０の表面から突出した状態を示している。
【００３３】
上記シール材４０の切欠き４２あるいは小孔４３から突出する突部４１は、摺動式扉１４が開口部１３の下側にある場合には、フロントパネル１２の内表面に接し、これによってシール材４０がフロントパネル１２の内表面と干渉しないようにしている。これに対して摺動式扉１４が閉じられると、突部４１が装置側の凹部４４内に受入れられ、これによってシール材４０が開口部１３の周縁部に圧着されるようにしている（図２３参照）。
【００３４】
上記外筐１０の天板１１の下面であってその前端側の部分には、図８に示すように凹部４８が形成される。すなわち図８は天板１１を逆様にして示している。そして凹部４８内には、防塵用密着シート４７が装着される。この防塵用密着シート４７は、弾性を有するゴムシートあるいは高分子シートから構成されている。摺動式扉１４が開口部１３を閉じると、上記摺動式扉１４の上端が、防塵用密着シート４７に接触し、これによって開口部１３が完全に閉じられることになる。
【００３５】
外筐１０の内側には、図９に示すように、板金から成るコ字状のシャーシ５０が取付けられる。シャーシ５０はその底板の４箇所の部分で、ゴムダンパ５１および取付けねじ５２を介して外筐１０の底板上に取付けられるようになっている。そしてシャーシ５０の両側の側板の内側には左右のスライダ５５、５６がそれぞれトレー２０の引出し方向に摺動自在に取付けられるようになっている。なお図９においては左側のスライダ５５のみを示したが、図１１に示すように右側のスライダ５６は、シャーシ５０の右側の側板の内側に配される。左右のスライダ５５、５６は、それらの底部が連結板５７によって連結され、これによって左右のスライダ５５、５６はトレー２０の引出し方向に一緒に移動するようになっている。
【００３６】
上記連結板５７によって連結される左右のスライダ５５、５６はその前後にそれぞれ傾斜カム５８を備えている。これらの傾斜カム５８は、後述するベースユニット７０（図１１参照）の両側に側方に突出すように形成されているピン５９を受入れている。従ってスライダ５５、５６がトレー２０の移動方向、すなわち前後方向に移動されると、ピン５９を介してベースユニット７０が昇降動作することになる。
【００３７】
上記シャーシ５０の左側の側板の内側には、図１０に示す扉開閉レバー６０が取付けられる。扉開閉レバー６０はピン６１を備え、このピン６１がシャーシ５０の左側の側面の取付け孔６２に開閉可能に取付けられる。そしてピン６１上につる巻きばね６３が巻付けられており、このつる巻きばね６３の一端部はこの扉開閉レバー６０の係止部６４に係止される。そして扉開閉レバー６０は係合ピン６５を有し、この係合ピン６５が左側のスライダ５５のカム６８に係合されるようになっている。そして扉開閉レバー６０の先端部６６が、上記摺動式扉１４の突出部３７に当接するようになっている。
【００３８】
左右のスライダ５５、５６の傾斜カム５８によって昇降動作するベースユニット７０は、図１１に示すようにそのほぼ中央部にターンテーブル７１を備え、その下側のモータによって回転駆動されるようになっている。しかもこのようなベースユニット７０上には、その前方側の部分にＤＶＤ用の光ディスクに対してアクセスし、記録および再生動作を示す光ピックアップ７３を備えるとともに、ベースユニット７０の奥側の部分には、ＤＶＲから成る光ディスクに対して対接する光ピックアップ７４が取付けられている。すなわちこのディスクプレーヤは、挿入される光ディスクのフォーマットに応じて、２種類の光ピックアップ７３、７４を選択的に用いるようにしている。
【００３９】
ＤＶＤ用光ピックアップ７３は一対のガイドロッド７５、７６によって光ディスクの半径方向に移動されるようになっており、送りねじ７７をモータ７８によって駆動することにより、光ピックアップ７３が光ディスクの半径方向に移動するようになっている。
【００４０】
これに対してＤＶＲ用光ピックアップ７４は、一対のガイドロッド８３、８４によって案内されるようになっている。そして送りねじ８５の端部にモータ８６が直結され、このモータ８６によって送りねじ８５を駆動すると、ＤＶＲ用光ピックアップ７４が光ディスクの半径方向に移動するようになっている。
【００４１】
上記ベースユニット７０を昇降自在に支持するシャーシ５０の前端側の部分には図１１に示すように、駆動用モータ９０が取付けられている。この駆動用モータ９０の出力軸は巻掛け伝動機構９１を介してギヤとレーン９２に連動される。そしてギヤとレーン９２上には駆動ギヤ９３、９４が設けられる。駆動ギヤ９３は上述のトレー２０の側面に設けられているラック９６（図１２参照）と係合し、これによってトレー２０を引出したり引込んだりするようにしている。これに対して駆動ギヤ９４は、右側のスライダ５６のラック９５と係合され、これによってスライダ５５、５６を前後方向に移動させ、このスライダ５５、５６の傾斜カム５８を介してベースユニット７０を昇降動作させるようになっている。
【００４２】
このように同一の駆動源９０、９１、９２によって、トレー２０とスライダ５５、５６との駆動を行なうために、それらの駆動を切換える切換えレバー９８が図１５に示されるように、右側のスライダ５６の最奥部と対応する位置において、シャーシ５０に取付けられている。切換えレバー９８は、係合ピン９９を備え、この係合ピン９９が右側のスライダ５６のポケット状カム１００と係合されており、このポケット状のカム１００を介して切換えレバー９８が前方にスライダ５６を押圧すると、このスライダ５６に設けられているラック９５が上記駆動ギヤ９４と噛合うようになっている。
【００４３】
次に以上のような構成に係る光ディスクプレーヤの動作の概略を説明する。光ディスクをこの光ディスクプレーヤによって記録あるいは再生する場合には、図２に示すようにトレー２０を外筐１０のフロントパネル１２の横長開口１３を通して前方に引出す。そしてトレー２０の円形の凹部２１上に、図２に示すディスクカートリッジ２５、開放型ディスクカートリッジ２６、あるいはベアディスク２７を装着する。このような状態において、図１１に示す駆動用モータ９０を回転駆動すると、この駆動用モータ９０の出力が巻掛け伝動機構９１およびギヤとレーン９２を介してトレー２０に伝達される。すなわちトレー２０に設けられているラック９６が上記駆動ギヤ９３によって駆動されるために、トレー１２は図１２および図１３に示すように引込まれる。この状態はさらに図１５Ａ、Ｂによって示される。
【００４４】
トレー２０が図１３および図１５Ｂに示すようにほぼ完全に引込まれると、トレー２０が切換えレバー９８を図１５Ｂに示すように押して反時計方向に回動させる。従って切換えレバー９８の係合ピン９９がポケット状カム１００を介してスライダ５６を図１５Ｂにおいて右方に押圧する。このためにスライダ５６に設けられているラック９５が、駆動用モータ９０および巻掛け伝動機構９１によって駆動されるギヤトレーン９２の駆動ギヤ９４と噛合う。従ってトレー２０の押込みの完了にほぼ同期して、切換えレバー９８によってスライダ５６が右方に移動される。図１５Ｂはスライダ５６のラック９５と駆動ギヤ９４との噛合い開始位置を示している。そして駆動ギヤ９４によって右側のスライダ５６が完全に移動された状態が図１５Ｃに示される。
【００４５】
上述の如く左右のスライダ５５、５６はともに連結板５７（図１１参照）によって連結されている。従って右側のスライダ５６が移動されると、左側のスライダ５５も同方向に一緒に移動される。従ってこれらのスライダ５５、５６の傾斜カム５８と係合するピン５９を有するベースユニット７０が傾斜カム５８によって上方に押上げられる。すなわちベースユニット７０は前後方向の移動ができず、高さ方向の移動のみが許容されるように支持されているために、ベースユニット７０が上昇動作し、これによってこのベースユニット７０上のターンテーブル７１（図１１参照）が上昇し、トレー２０の凹部２１内の光ディスクを上方に持上げる。なお開放型ディスクカートリッジ２６あるいはベアディスク２７が挿入された場合には、その光ディスクの中央部を上方から、チャックリング２９によってターンテーブル７１に対して押さえる。そしてこのような状態で、ターンテーブル７１がモータで駆動される。
【００４６】
挿入されるディスク状記録媒体のフォーマットに応じて、トレー２０の開口２２を通して、ＤＶＤ用光ピックアップ７３あるいはＤＶＲ用の光ピックアップ７４が上記光ディスクと対接される。光ピックアップ７３が送りねじ７７によって光ディスクの半径方向に送られる。これに対して光ピックアップ７４は送りねじ８５によって光ディスクの半径方向に送られる。従って回転する光ディスクに対して、一対の光ピックアップ７３、７４の内の一方が対接されることにより、所定の記録および／または再生動作が行なわれる。
【００４７】
このような記録再生動作を完了した後に、上記駆動用モータ９０を逆回転させると、巻掛け伝動機構９１およびギヤとレーン９２を介して、駆動ギヤ用９４がまずスライダ５６をそのラック９５によって後方に移動させる。従ってスライダ５５、５６の傾斜カム５８によって、ベースユニット７０が下降する。そしてこの後に切換えレバー９８が図１５Ｃに示す状態から図１５Ｂに示す状態に変化し、これによってトレー２０を前方に移動し、このトレー２０に設けられているラック９５を駆動ギヤ９３に噛合わせる。これによってトレー１５が図１２および図１５Ａに示すように、外筐１０の開口部１３を通して前方に押出すようになる。
【００４８】
次に上記ベースユニット７０の昇降動作を行なうスライダ５５、５６の摺動動作に連動して上記フロントパネル１２の開口部１３を摺動式扉１４によって開閉する動作を説明する。
【００４９】
図１６〜図１９は、スライダ５５、５６が筐体１０の奥の方向に移動することによって、スライダ５５のカム６８によって扉開閉レバー６０を介して摺動式扉１４を開いた状態を示している。すなわちスライダ５５が筐体の奥の方に移動されると、スライダ５５のカム６８が扉開閉レバー６０を図１９において反時計方向に回動させる。従って扉開閉レバー６０の先端部６６が下方に移動する。扉開閉レバー６０はつる巻きばね６３によって、常にスライダ５５のカム６８に圧着された状態になっている。従って扉開閉レバー６０の先端部６６が図１９Ｂに示すように、摺動式扉１４の内側に突出して設けられた突出部３７を押下げ、これによって摺動式扉１４が下方に移動して開かれる。なおこのときの摺動式扉１４のつる巻きばね３３は図５において点線で示す状態になっている。
【００５０】
また扉１４がフロントパネル１２の開口部１３を開放した状態であってフロントパネル１２の内側に位置するときには、この摺動式扉１４の表面に設けられた突部４１が、図１９に示すように、フロントパネル１２の内側の表面に当接する。すなわちこの摺動式扉１４の全面に貼付けられたシール材４０がフロントパネル１２の内側には干渉しない。従ってシール材４０がフロントパネル１２と摺接して損傷されることが防止される。
【００５１】
次にスライダ５５が前方側であってベースユニット７０を上昇させる方向に移動されると、このスライダ５５のカム６８によって、扉開閉レバー６０が摺動式扉１４を閉じる方向に回動させ、これによって摺動式扉１４が閉じられるようになっている。この状態が図２０〜図２３に示される。
【００５２】
スライダ５５がベースユニット７０をチャックアップする方向、すなわち前方側に移動されると、スライダ５５のカム６８が扉開閉レバー６０を図２３に示すように時計方向に回動させる。従ってこの扉開閉レバー６０の先端部６６は上方向に動作する。扉開閉レバー６０は、つる巻きばね６３によって、常にピン６５がカム６８に圧着された状態になっている。従ってスライダ５５が前方に移動すると、扉開閉レバー６０の先端部６６は摺動式扉１４の突出部３７を開放し、これによって摺動式扉１４はつる巻きばね３３のばね力によって閉じる方向であって上方に移動する。このときのつる巻きばね３３の状態が図５において実線で示される。
【００５３】
またこのときに、摺動式扉１４は、図２３に示すように、天板の下面に設置された防塵用密閉シート４７に圧着される。しかもこの摺動式扉１４に設けられた被押圧部３５がフロントパネル１２の開口部１３の周縁のカム３６に係合され、これによって摺動式扉１４は前方に押出される。しかもこのときに、摺動式扉１４の前方に突出する突部４１が、フロントパネル１２の開口部１３の周縁の凹部４４内に受入れられ、これによって摺動式扉１４に貼付けられたシール材４０の周縁部が、フロントパネル１２の開口部１３の周縁部に圧着されるとともに、局部的に変形される。このようなシール材４０の動作によって、フロントパネル１２の開口部１３が密閉された状態になり、外部からの粉塵の流入が防止される。またこのときには、とくに図２３Ｂに示すように、扉開閉レバー６０の先端部６６が摺動式扉１４の突出部３７から離れるようになり、両者の間にクリアランスが形成される。従って摺動式扉１４から、扉開閉レバー６０を介して、防振支持されたシャーシ５０上の機構に振動が伝達されることがない。
【００５４】
このように本実施の形態の光ディスクプレーヤは、とくにベースユニット７０が上方であってチャックアップ方向に移動された場合に、フロントパネル１２の開口部１３を摺動式扉１４によって密閉している。これによってとくに記録再生時における外部からの粉塵の流入が防止されることになる。しかも上述の摺動式扉１４の開閉および圧着機構を、スライダ５５と連動する扉開閉レバー６０によって行なうようにしているために、部品点数が少なくなって構造が簡潔になる。また上述の摺動式扉１４の開閉のための駆動源が、トレー２０の引出しおよびスライダ５５、５６の駆動のための駆動用モータ９０の出力を利用しているために、摺動式扉１４の開閉のための専用の駆動源が不要になる。
【００５５】
また摺動式扉１４が閉じた場合に、扉開閉レバー６０がこの摺動式扉１４から離間しているために、扉開閉レバー６０によって防振機能が破られることがなく、耐震性が損なわれない。また摺動式扉１４はフロントパネル１２の開口部の内側において摺動自在に取付けられており、周縁部が開口部１３の内側に圧着される構造になっているために、回転中にディスク自体が破損して飛散した場合にも、外部にディスクが飛出すことがなく、摺動式扉１４が防御手段として機能することになる。
【００５６】
以上本願発明を図示の実施の形態によって説明したが、本願発明は上記実施の形態によって限定されることなく、本願に含まれる発明の技術的思想の範囲内において各種の変更が可能である。例えば上記実施の形態は、一対の光ピックアップ７３、７４を備える光ディスクプレーヤに関するものであるが、本願発明は単一の光ピックアップによって記録再生を行なう光ディスクプレーヤにも適用することができる。
【産業上の利用可能性】
【００５７】
本願発明は、とくに外部からの粉塵の流入を防止するようにした光ディスクプレーヤに利用することが可能である。
【図面の簡単な説明】
【００５８】
【図１】光ディスクプレーヤの外筐の外観を示す斜視図である。
【図２】トレーとディスク状記録媒体との関係を示す斜視図である。
【図３】天板を取外した状態の光ディスクプレーヤの斜視図である。
【図４】トレーを取外した状態の光ディスクプレーヤの斜視図である。
【図５】外筐に対する摺動式扉の取付けを示す斜視図である。
【図６】摺動式扉の分解斜視図である。
【図７】摺動式扉の組立て斜視図である。
【図８】天板を逆様にした状態の分解斜視図である。
【図９】外筐に対するシャーシの取付けを示す分解斜視図である。
【図１０】扉開閉レバーの斜視図である。
【図１１】ベースユニットの取付けを示す斜視図である。
【図１２】トレーを引出した状態の平面図である。
【図１３】トレーを引込んだ状態の平面図である。
【図１４】スライダを前方へ押出した状態の平面図である。
【図１５】トレーの引込みとスライダの押出しの動作を示す側面図である。
【図１６】摺動式扉が開かれた状態のフロントパネルの要部斜視図である。
【図１７】摺動式扉が開かれた状態のフロントパネルの内側の部分の要部斜視図である。
【図１８】同要部平面図である。
【図１９】摺動式扉が開かれた状態の動作を示す縦断面図である。
【図２０】摺動式扉が閉じられた状態のフロントパネルの斜視図である。
【図２１】摺動式扉が閉じられた状態のフロントパネルの内側の部分の要部斜視図である。
【図２２】同要部平面図である。
【図２３】摺動式扉を閉じた状態の縦断面図である。
【符号の説明】
【００５９】
１０…外筐、１１…天板、１２…フロントパネル、１３…開口部、１４…摺動式扉、１５…リング状突部、２０…トレー、２１…円形の凹部、２２…縦長の開口、２５…ディスクカートリッジ、２６…開放型ディスクカートリッジ、２７…ベアディスク、２８…ホルダ板、２９…チャックリング、３２…ピン、３３…つる巻きばね、３４…受け溝、３５…被押圧部、３６…カム、３７…突出部、３８…案内用突柱、４０…シール材、４１…突部、４２…切欠き、４３…小孔、４４…凹部、４７…防塵用密閉シート、４８…凹部、５０…シャーシ、５１…ゴムダンパ、５２…取付けねじ、５５…スライダ（左）、５６…スライダ（右）、５７…連結板、５８…傾斜カム、５９…ピン、６０…扉開閉レバー、６１…ピン、６２…取付け孔、６３…つる巻きばね、６４…係止部、６５…係合ピン、６６…先端部、６８…カム、７０…ベースユニット、７１…ターンテーブル、７３…光ピックアップ（ＤＶＤ用）、７４…光ピックアップ（ＤＶＲ用）、７５、７６…ガイドロッド、７７…送りねじ、７８…モータ、８３、８４…ガイドロッド、８５…送りねじ、８６…モータ、９０…駆動用モータ、９１…巻掛け伝動機構、９２…ギヤトレーン、９３…駆動ギヤ（トレー駆動用）、９４…駆動ギヤ（スライダ駆動用）、９５、９６…ラック、９８…切換えレバー、９９…係合ピン、１００…ポケット状カム
【図１】
2007080472.tif 000003
【図２】
2007080472.tif 000004
【図３】
2007080472.tif 000005
【図４】
2007080472.tif 000006
【図５】
2007080472.tif 000007
【図６】
2007080472.tif 000008
【図７】
2007080472.tif 000009
【図８】
2007080472.tif 000010
【図９】
2007080472.tif 000011
【図１０】
2007080472.tif 000012
【図１１】
2007080472.tif 000013
【図１２】
2007080472.tif 000014
【図１３】
2007080472.tif 000015
【図１４】
2007080472.tif 000016
【図１５】
2007080472.tif 000017
【図１６】
2007080472.tif 000018
【図１７】
2007080472.tif 000019
【図１８】
2007080472.tif 000020
【図１９】
2007080472.tif 000021
【図２０】
2007080472.tif 000022
【図２１】
2007080472.tif 000023
【図２２】
2007080472.tif 000024
【図２３】
2007080472.tif 000025